(57)【要約】【課題】複数のユーザで共用される場合であっても、ユーザ単位でコンテンツのコピー回数とムーブ権限を管理することにより、不適切なユーザによるコンテンツのコピーやムーブを防止する。【解決手段】ハードディスク装置１０２には、コンテンツデータ１０２ｂが記録される。コンテンツ記録装置１０は、コピー制御情報管理部１０８に記憶されるコピー制御情報において、コンテンツのコピー／ムーブを管理するための認証データ（パスワード）を設定する。コンテンツ記録装置１０は、ハードディスク装置１０２に記録されたコンテンツデータを他の記録媒体にムーブする指示が入力された場合には認証データの入力を要求し、この要求に対して入力された認証データが正当な認証データであると判定された場合に、コンテンツデータを他の記録媒体にムーブさせる。【選択図】      図１
2009267640.tif 000002
【特許請求の範囲】
【請求項１】
コンテンツデータを第１の記録媒体に記録する記録手段と、
認証データを設定する設定手段と、
前記第１の記録媒体に記録された前記コンテンツデータを第２の記録媒体にムーブする指示が入力された場合に、前記認証データの入力を要求する第１の要求手段と、
前記第１の要求手段による要求に対して入力された認証データが前記設定手段により設定された正当な認証データであるかを判定する第１の判定手段と、
前記第１の判定手段により前記認証データが正当と判定された場合に、前記第１の記録媒体に記録されたコンテンツデータを前記第２の記録媒体にムーブさせるデータムーブ手段と
を具備したことを特徴とするコンテンツ記録装置。
【請求項２】
前記第１の記録媒体に記録された前記コンテンツデータを前記第２の記録媒体にコピーするコピー手段と、
前記コピー手段による前記コンテンツデータのコピー回数を計数する計数手段と、
前記計数手段によって計数されたコピー回数が予め決められた規定回数を超えたか判定する回数判定手段と、
前記回数判定手段によってコピー回数が前記規定回数を越えたと判定された場合に、前記認証データの入力を要求する第２の要求手段と、
前記第２の要求手段による要求に対して入力された認証データが前記設定手段により設定された正当な認証データであるかを判定する第２の判定手段とをさらに具備し、
前記コピー手段は、前記回数判定手段によってコピー回数が前記規定回数を越えたと判定された以降、前記第２の判定手段により前記認証データが正当と判定された場合のみ前記コンテンツデータをコピーすることを特徴とする請求項１記載のコンテンツ記録装置。
【請求項３】
前記設定手段は、複数のユーザ別に認証データを設定し、
前記第１及び第２の判定手段は、前記設定手段によってユーザ別に設定された前記認証データについて判定することを特徴とする請求項２記載のコンテンツ記録装置。
【請求項４】
前記規定回数を前記設定手段によって認証データが設定された複数のユーザに対して割り当てるコピー回数割当て手段をさらに具備し、
前記回数判定手段は、前記コピー回数割当て手段によって割り当てられたコピー回数をもとに、前記複数のユーザのそれぞれについて割り当てられた規定回数を越えたか判定することを特徴とする請求項３記載のコンテンツ記録装置。
【請求項５】
前記設定手段によって認証データが設定された複数のユーザについてコンテンツの嗜好性に関係するデータを記録する嗜好性データ記録手段をさらに具備し、
前記コピー回数割当て手段は、前記嗜好性データ記録手段によって記録されたデータをもとに、前記複数のデータのそれぞれに対して割り当てるコピー回数を決定することを特徴とする請求項４記載のコンテンツ記録装置。
【請求項６】
前記設定手段は、前記コンテンツデータを前記第１の記録媒体に記録する際に、前記認証データを設定することを特徴とする請求項１記載のコンテンツ記録装置。
【請求項７】
コンピュータを、
コンテンツデータを第１の記録媒体に記録する記録手段と、
認証データを設定する設定手段と、
前記第１の記録媒体に記録された前記コンテンツデータを第２の記録媒体にムーブする指示が入力された場合に、前記認証データの入力を要求する第１の要求手段と、
前記第１の要求手段による要求に対して入力された認証データが前記設定手段により設定された正当な認証データであるかを判定する第１の判定手段と、
前記第１の判定手段により前記認証データが正当と判定された場合に、前記第１の記録媒体に記録されたコンテンツデータを前記第２の記録媒体にムーブさせるデータムーブ手段として機能させることを特徴とするコピー制御プログラム。
【請求項８】
前記第１の記録媒体に記録された前記コンテンツデータを前記第２の記録媒体にコピーするコピー手段と、
前記コピー手段による前記コンテンツデータのコピー回数を計数する計数手段と、
前記計数手段によって計数されたコピー回数が予め決められた規定回数を超えたか判定する回数判定手段と、
前記回数判定手段によってコピー回数が前記規定回数を越えたと判定された場合に、前記認証データの入力を要求する第２の要求手段と、
前記第２の要求手段による要求に対して入力された認証データが前記設定手段により設定された正当な認証データであるかを判定する第２の判定手段としてさらに機能させ、
前記コピー手段は、前記回数判定手段によってコピー回数が前記規定回数を越えたと判定された以降、前記第２の判定手段により前記認証データが正当と判定された場合のみ前記コンテンツデータをコピーすることを特徴とする請求項７記載のコピー制御プログラム。
【請求項９】
前記設定手段は、複数のユーザ別に認証データを設定し、
前記第１及び第２の判定手段は、前記設定手段によってユーザ別に設定された前記認証データについて判定することを特徴とする請求項８記載のコピー制御プログラム。
【請求項１０】
前記規定回数を前記設定手段によって認証データが設定された複数のユーザに対して割り当てるコピー回数割当て手段としてさらに機能させ、
前記回数判定手段は、前記コピー回数割当て手段によって割り当てられたコピー回数をもとに、前記複数のユーザのそれぞれについて割り当てられた規定回数を越えたか判定することを特徴とする請求項９記載のコピー制御プログラム。
【請求項１１】
前記設定手段によって認証データが設定された複数のユーザについてコンテンツの嗜好性に関係するデータを記録する嗜好性データ記録手段としてさらに機能させ、
前記コピー回数割当て手段は、前記嗜好性データ記録手段によって記録されたデータをもとに、前記複数のデータのそれぞれに対して割り当てるコピー回数を決定することを特徴とする請求項１０記載のコピー制御プログラム。
【請求項１２】
前記設定手段は、前記コンテンツデータを前記第１の記録媒体に記録する際に、前記認証データを設定することを特徴とする請求項７記載のコピー制御プログラム。
【発明の詳細な説明】
【技術分野】
【０００１】
本発明は、地上デジタル放送などにより受信されたコンテンツデータ等を記録するコンテンツ記録装置、同装置において実行されるコピー制御プログラムに関する。
【背景技術】
【０００２】
現在、地上デジタル放送などにより受信されたコンテンツを記録するコンテンツ記録装置では、記録したコンテンツデータをＮＭＣ（No More Copy）により管理し、他の記録媒体へのムーブのみを可能として、コピーをできないようにしている。これに対して、将来的には、コンテンツ記録装置において、コンテンツをＣＯＧ（Copy One Generation）により管理し、１世代のみＮ回までコピー可能なＣＯＧ、すなわちＮ個ＣＯＧにより管理することになっている。この場合、例えばＮ＝９、つまり１世代目まで９回のコピーと１回のムーブが可能となる。
【０００３】
従来、デジタルコンテンツについての不正な複製（コピー）を防止することができるデータ記録再生装置が考えられている（特許文献１）。特許文献１に記載されたデータ記録再生装置は、個人使用の範囲での複製は自由にし、かつ、業とした不正な複製を防止する。このデータ記録再生装置では、所定の記録データの記録時には、ユーザＩＤモジュールを記録再生装置に接続し、使用者を特定するための使用者識別情報をユーザＩＤモジュールから取得して、記録データと共に記録媒体に記録する。所定の記録データの再生時には、記録媒体からの情報から検出された使用者識別情報と、不揮発性メモリから読み出した使用者識別情報とが一致したときに記録情報の再生を許可する。
【特許文献１】特開２００２−１００１１６号公報
【発明の開示】
【発明が解決しようとする課題】
【０００４】
特許文献１に記載された装置では、個人使用の範囲でデータの複製（コピー）を管理するために、データの記録時に使用者識別情報を記録データと共に記録媒体に記録して、この記録媒体に記録された使用者識別情報をデータ再生時に確認している。
【０００５】
ところで、コンテンツ記録装置は、複数のユーザ（例えば家族）によって共用される場合がある。そして、コンテンツ記録装置に記録されたコンテンツがＮ個ＣＯＧにより管理されると、複数のユーザがコンテンツのコピーや他の記録媒体へのムーブが可能となる。この場合、コンテンツ記録装置の利便性が向上する一方で、あるユーザがコンテンツ記録装置に記録した重要なコンテンツを他のユーザが勝手にコピーしたり、他の記録媒体や記録機器にムーブさせてしまったりするおそれがある。特に、コンテンツ記録装置をネットワークによって他の記録装置と接続可能な構成とした場合に、他の記録装置にコンテンツがムーブされてしまうと、コンテンツの所在が全く分からなくなってしまう。
【０００６】
本発明は上述の事情を考慮してなされたものであり、複数のユーザで共用される場合であっても、ユーザ単位でコンテンツのコピー回数とムーブ権限を管理することにより、不適切なユーザによるコンテンツのコピーやムーブを防止することが可能なコンテンツ記録装置、コピー制御プログラムを提供することを目的とする。
【課題を解決するための手段】
【０００７】
上述の課題を解決するため、本発明は、コンテンツデータを第１の記録媒体に記録する記録手段と、認証データを設定する設定手段と、前記第１の記録媒体に記録された前記コンテンツデータを第２の記録媒体にムーブする指示が入力された場合に、前記認証データの入力を要求する第１の要求手段と、前記第１の要求手段による要求に対して入力された認証データが前記設定手段により設定された正当な認証データであるかを判定する第１の判定手段と、前記第１の判定手段により前記認証データが正当と判定された場合に、前記第１の記録媒体に記録されたコンテンツデータを前記第２の記録媒体にムーブさせるデータムーブ手段とを具備したことを特徴とする。
【発明の効果】
【０００８】
本発明によれば、複数のユーザで共用される場合であっても、ユーザ単位でコンテンツのコピー制御回数とムーブ権限を管理することにより、不適切なユーザによるコンテンツのコピーやムーブを防止することが可能となる。
【発明を実施するための最良の形態】
【０００９】
以下、図面を参照して、本発明の実施形態を説明する。  
図１は、本発明の一実施形態に係るコンテンツ記録装置１０の構成を示すブロック図である。図１に示すコンテンツ記録装置は、例えば地上デジタル放送を受信してハードディスクなどの記録媒体に記録するハードディスク記録再生装置として構成されている。なお、コンテンツ記録装置は、ハードディスク記録再生装置としてだけでなく、デジタルコンテンツを記録することができるパーソナルコンピュータなどの他の機器であっても良い。
【００１０】
図１に示すように、コンテンツ記録装置１０は、統合化コアチップ１０１、ハードディスク装置１０２、チューナー１０３、録画エンジン１０４、映像描画エンジン１０５、ビデオエンコーダ／デコーダ１０６、コンテンツ暗号／復号エンジン１０７、コピー制御情報管理部１０８、アンテナ１０９、メディア記録／再生ユニット１１０、及び通信インタフェース１１２が設けられている。
【００１１】
統合化コアチップ１０１は、接続された全てのデバイスを制御するもので、ＣＰＵ１０１ａ、ＲＡＭ１０１ｂを含んでいる。統合化コアチップ１０１は、ハードディスク装置１０２に記録された各種プログラムをＲＡＭ１０１ｂにロードし、ＣＰＵ１０１ａによって実行することにより各種機能を制御する。ＣＰＵ１０１ａにより実行されるプログラムには、ハードディスク装置１０２に記録されたコンテンツデータの他の記録媒体へコピーやムーブをユーザ単位で管理するコピー制御プログラムを含む。
【００１２】
ハードディスク装置１０２は、統合化コアチップ１０１により実行されるコピー制御プログラム１０２ａを含む各種プログラムやデータの他、アンテナ１０９及びチューナー１０３を介して地上デジタル放送により受信されたコンテンツデータ１０２ｂなどが記録される。
【００１３】
チューナー１０３は、アンテナ１０９によって受信された地上デジタル放送などの放送波を選局して音声・映像データを出力する。
【００１４】
録画エンジン１０４は、チューナー１０３から出力された音声・映像データを、コンテンツデータ１０２ｂとしてハードディスク装置１０２に記録する。
【００１５】
映像描画エンジン１０５は、ビデオエンコーダ／デコーダ１０６によりデコードされた映像データに応じて、表示装置（ディスプレイ）において映像を表示させる。
【００１６】
ビデオエンコーダ／デコーダ１０６は、映像データのエンコード及びデコードを行う。
【００１７】
コンテンツ暗号／復号エンジン１０７は、例えば地上デジタル放送により受信されたデジタルＴＶ放送番組などのコンテンツデータをハードディスク装置１０２に記録するための暗号化、及び記録されたコンテンツデータ１０２ｂを再生する際の復号化を行う。
【００１８】
コピー制御情報管理部１０８は、ハードディスク装置１０２に記録された地上デジタル放送などによって受信されたコンテンツデータ１０２ｂの他の記録媒体へのコピーやムーブをユーザ単位で管理するためのコピー制御情報を記録／管理する。コピー制御情報は、悪意のあるユーザに不用意に改ざんされてはならない重要な情報であるため、例えばアクセス不可能な不揮発性メモリにおいて保存させるものとする。
【００１９】
メディア記録／再生ユニット１１０は、可搬型の記録媒体１１１へのコンテンツデータの記録再生をするユニットである。可搬型の記録媒体１１１には、例えばＤＶＤ（Digital Versatile Disc）などの光ディスク、メモリカードなどのメモリ媒体、あるいはリムーバブルＨＤＤなどがある。
【００２０】
通信インタフェース１１２は、外部の他のコンテンツ記録装置とネットワークを介して通信を行う。通信インタフェース１１２は、他のコンテンツ記録装置との間でコンテンツデータの入力出力を制御する。
【００２１】
次に、本実施形態におけるコンテンツ記録装置１０の動作について説明する。  
本実施形態では、地上デジタル放送によって受信されたデジタルＴＶ放送番組などのコンテンツデータを、例えばＮ個ＣＯＧ（Ｎ＝９とする）によって管理して記録するものとする。つまり、コンテンツ記録装置１０に記録されたコンテンツデータは、１世代目まで９回コピー、１回のムーブが可能とする。コンテンツ記録装置１０は、複数のユーザ（例えば家族）によって共有されており、ハードディスク装置１０２に記録されたコンテンツデータ１０２ｂに対して可能な９回コピーと１回のムーブをユーザ単位で管理して、不適切なユーザによるコンテンツデータ１０２ｂのコピーやムーブを防止する。
【００２２】
まず、地上デジタル放送によって受信されたコンテンツの録画設定をしたユーザ（録画設定ユーザ）と、それ以外のユーザに区分して、記録されたコンテンツのコピーとムーブを管理する場合について説明する。
【００２３】
図２は、コンテンツの録画設定したユーザのみを管理して、コピー回数とムーブ権限を管理する方法の概要について示したものである。
【００２４】
コンテンツ記録装置１０は、例えば地上デジタル放送により受信された番組（コンテンツ）を録画する場合には、録画設定したユーザによってパスワードを登録させる。コンテンツ記録装置１０は、録画コンテンツに設定されたパスワードをもとに録画設定したユーザを認証することで、録画設定ユーザとそれ以外の任意ユーザを区別することができる。コンテンツ記録装置１０は、録画設定ユーザに対して、少なくとも一定のコピー回数Ｐ、及びムーブ権限を割り振る。また、録画設定ユーザ以外のユーザに対して、コピー回数Ｑを割り振る（ムーブ不可）。ただし、Ｐ＋Ｑ＝Ｎを満足しなければならない。録画設定ユーザ以外の任意ユーザは、コピー回数Ｑを共有し、その範囲内であればコピーとすることができる。
【００２５】
なお、パスワードは、コンテンツの記録が終了した後に、コンテンツを指定して個別に登録するようにしても良い。また、コンテンツ記録装置１０において予約録画をする場合に、録画予約番組について日時やタイトル等を設定するのと同時にパスワードを設定するようにしても良い。
【００２６】
図３は、コピー制御情報管理部１０８において管理されるコピー制御情報の一例を示す図である。  
図３に示すように、ハードディスク装置１０２に記録される録画コンテンツ（コンテンツデータ１０２ｂ）と関連付けて、録画設定したユーザによって登録されたパスワードが設定される。また、録画コンテンツがコピーされることにより更新される残りコピー回数が記録される。コピー制御情報に設定される残コピー回数の初期値は９回とする。
【００２７】
次に、コンテンツ記録装置１０によるコンテンツのコピー動作について、図４に示すフローチャートを参照しながら説明する。  
まず、ハードディスク装置１０２に記録された複数のコンテンツ（コンテンツデータ１０２ｂ）から、ユーザのリモコン等（図示せず）に対する選択操作によってコピー対象が選択される（ステップＡ１）。
【００２８】
統合化コアチップ１０１は、コピー制御情報管理部１０８に記録されたコピー制御情報を参照し、コピー対象として選択されたコンテンツに対して記録されている現在の残りコピー回数をチェックする（ステップＡ２）。
【００２９】
ここで、コピー回数が予め設定された規定回数以内である場合には（ステップＡ３、Ｙｅｓ）、統合化コアチップ１０１は、選択されたコンテンツを、コピー先の記録媒体、例えばメディア記録／再生ユニット１１０（記録媒体１１１）、あるいは通信インタフェース１１２を介して接続された他のコンテンツ記録装置に対して送信して、他の記録媒体（第２の記録媒体）へのコピーを実行する（ステップＡ４）。なお、コピー回数の判定に用いられる規定回数は、録画設定ユーザに対して割り振られたコピー回数のＰ回とする。統合化コアチップ１０１は、コンテンツデータの他の記録媒体へのコピーが完了すると、コピー制御情報に設定されたコピーを実行したコンテンツに対する残りコピー回数を１減算する（ステップＡ５）。
【００３０】
一方、コンテンツの残りコピー回数が規定回数以内でない場合（ステップＡ３、Ｎｏ）、統合化コアチップ１０１は、ユーザに録画設定時のパスワードを入力させて、パスワード認証を実行するステップＡ６）。
【００３１】
統合化コアチップ１０１は、コピー制御情報を参照して、入力されたパスワードが現在コピー対象として選択されているコンテンツに対して設定されたパスワードと一致するかをチェックする。ここで、パスワードが一致し、コンテンツの録画設定時に登録された正当なパスワードであることが判定された場合（ステップＡ７、Ｙｅｓ）、コンテンツ記録装置１０は、選択されたコンテンツを、前述と同様にしてコピー先の記録媒体に送ってコピーを実行する（ステップＡ４）。そして、コピーが完了したコンテンツに対する残りコピー回数を１減算する（ステップＡ５）。
【００３２】
このように、ハードディスク装置１０２に記録されたコンテンツデータ１０２ｂに対するコピー回数が規定回数内にある場合には、パスワードの入力を要求しないで何れのユーザであってもコピーできるようにする。そして、コンテンツデータ１０２ｂの残りコピー回数が録画設定ユーザに対して設定されたコピー回数（前述した例ではＰ回）となると、パスワードの入力を要求することで、録画設定ユーザのみがコピーを実行できるようにする。
【００３３】
従って、録画設定ユーザが実行できるコピー回数を確保しながら、コンテンツデータ１０２ｂについてコピー可能な残りの回数を複数のユーザによって共有することができる。また、残りコピー回数が規定回数内であればパスワードの入力を求められないので、コンテンツデータ１０２ｂをコピーする際の操作を煩雑化させなくてすむ。
【００３４】
なお、前述した説明では、録画設定ユーザがコンテンツをコピーすることが可能な回数をＰ回としているが、この回数は録画設定ユーザが任意に設定できるようにしても良い。例えば、録画設定時に、必要とするコピー回数を指定する。これによって、録画設定ユーザが必要とするコピー回数が少なければ他のユーザがコピーできる回数を増やすことができ、また録画設定ユーザが必要とするコピー回数が多ければ、その要求に応じたコピー回数を確保することができる。
【００３５】
次に、コンテンツ記録装置１０によるコンテンツのムーブ動作について、図５に示すフローチャートを参照しながら説明する。  
まず、ハードディスク装置１０２に記録された複数のコンテンツ（コンテンツデータ１０２ｂ）から、ユーザのリモコン等（図示せず）に対する選択操作によってムーブ対象が選択される（ステップＢ１）。
【００３６】
統合化コアチップ１０１は、ムーブ対象とするコンテンツデータ１０２ｂが選択されると、ユーザに録画設定時のパスワードを入力させて、パスワード認証を実行する（ステップＢ２）。
【００３７】
統合化コアチップ１０１は、コピー制御情報を参照して、入力されたパスワードが現在コピー対象として選択されているコンテンツに対して設定されたパスワードと一致するかをチェックする。ここで、パスワードが一致し、コンテンツの録画設定時に登録された正当なパスワードであることが判定された場合（ステップＢ３、Ｙｅｓ）、コンテンツ記録装置１０は、選択されたコンテンツを、ムーブ先の記録媒体に送ってムーブを実行する（ステップＢ４）。すなわち、コンテンツデータ１０２ｂを、例えば媒体記録／再生ユニット１１０（記録媒体１１１）、あるいは通信インタフェース１１２を介して接続された他のコンテンツ記録装置に対して送信して、他の記録媒体（第２の記録媒体）へ記録させると共にハードディスク装置１０２から削除する。
【００３８】
一方、入力されたパスワードが正当なパスワードではないと判定された場合には、統合化コアチップ１０１は、コンテンツデータ１０２ｂに対するムーブを拒否して処理を終了する。
【００３９】
このように、コンテンツデータ１０２ｂをムーブする際には、同データに対して録画設定ユーザによって登録されたパスワードの入力を求めることで、録画設定ユーザ以外の他のユーザがコンテンツデータ１０２ｂを勝手にムーブできないようにすることができる。
【００４０】
以上の説明では、録画設定ユーザとそれ以外のユーザに区分してコンテンツのコピーとムーブを管理しているが、複数のユーザの個々についてコピー回数とムーブ権限を管理する場合について説明する。
【００４１】
図６は、複数のユーザの個々についてコピー回数とムーブ権限を管理する方法の概要について示したものである。ここでは、３人ユーザＡ，Ｂ，Ｃによって、ハードディスク装置１０２にＮ個ＣＯＧ（Ｎ＝９とする）により管理／記録されたコンテンツデータ１０２ｂに対するコピーとムーブの操作が行われるものとする。コンテンツ記録装置１０は、各ユーザＡ，Ｂ，Ｃによってアカウントとパスワードを登録させる。コンテンツ記録装置１０は、アカウントとパスワードをもとにユーザを認証することで、個々のユーザを区別することができる。コンテンツ記録装置１０は、予め決められた条件（指標）に基づいて、各ユーザＡ，Ｂ，Ｃに対して、それぞれＰ，Ｑ，Ｒ回のコピー回数とムーブ権限を割り振る。ただし、Ｐ＋Ｑ＋Ｒ＝Ｎを満足しなければならない。なお、予め決められた条件（指標）の詳細については後述する。また、ムーブ権限に関しては、１人のユーザのみに与えることで、他のユーザが不用意に他のコンテンツ記録装置へムーブして、コンテンツ記録装置１０からコンテンツが消滅させる事態を防止することができる。
【００４２】
図７は、コピー制御情報管理部１０８において管理されるコピー制御情報の一例を示す図である。  
図７に示すように、ハードディスク装置１０２に記録される録画コンテンツ（コンテンツデータ１０２ｂ）と関連付けて、このコンテンツを共有する複数のユーザＡ，Ｂ，Ｃの個々のアカウントとパスワードが設定される。また、ユーザ（アカウント、パスワード）毎に、録画コンテンツがコピーされることにより更新される残りコピー回数が記録される。コピー制御情報に設定される残りコピー回数の初期値としては、各ユーザの残コピー回数の合計が９回となっている。
【００４３】
ユーザの個々のアカウントとパスワードは、コンテンツの記録が終了した後に、コンテンツを指定して個別に登録するようにしても良い。また、コンテンツ記録装置１０において予約録画をする場合に、録画予約番組について日時やタイトル等を設定するのと同時にパスワードを設定するようにしても良い。さらに、コンテンツ記録装置１０において、例えば使用時（ログイン時）にパスワードとアカウントの入力を求める機能が設けられている場合、このパスワードとアカウントを利用することもできる。例えば、コンテンツ記録装置１０がパーソナルコンピュータによって実現される場合には、パーソナルコンピュータに実装されたユーザ認証機能において事前に登録されている、各ユーザのパスワードとアカウントをコピー制御情報に設定する。
【００４４】
なお、図７に示すコピー制御情報の例では、全ての録画コンテンツを同じ複数のユーザＡ，Ｂ，Ｃによって共有する場合について示しているが、録画コンテンツ別に、異なるユーザの組み合わせによって録画コンテンツを共有することも可能である。また、共有する人数も固定（例えば３人）ではなく、録画コンテンツ毎に異なっていても良い。コピー制御情報では、録画コンテンツ毎に、同コンテンツを共有するユーザのアカウントとパスワードをそれぞれ登録して、個々に残りコピー回数を管理することができる。
【００４５】
次に、複数のユーザにコピー回数とムーブ権限を割り振る条件（指標）の具体例について説明する。ここでは、条件（指標）として、（１）「各ユーザの権限の強さ」、あるいは（２）「各ユーザのコンテンツ嗜好性」を考慮する方法を用いることができる。
【００４６】
（１）「各ユーザの権限の強さ」を考慮する方法について。
【００４７】
図８は、各ユーザの権限の強さを考慮してコピー回数／ムーブ権限を割り振る概念を示す図である。  
図８に示すように、ハードディスク装置１０２に記録されたコンテンツ（１世代目まで９回コピー、１回ムーブ可能）に対して、ユーザＡ，Ｂ，Ｃ，Ｄの４人にコピー回数とムーブ権限を割り振る。ユーザ権限の強さは（ユーザＡ）＞（ユーザＢ）＞（ユーザＣ）＞（ユーザＤ）とする。なお、ユーザ権限の強さは、コピー制御情報に各ユーザのパスワードとアカウントを設定する際に、同時にユーザの指定によって設定するようにしても良いし、コンテンツが記録された後に、コンテンツ別に任意にユーザの指定により設定するようにしても良い。また、コンテンツ記録装置１０を利用する際に、ユーザにアカウントやパスワードを入力させる場合に、ユーザ別の利用頻度などを記録しておき、この利用頻度に応じてユーザ権限を設定するようにしても良い。
【００４８】
統合化コアチップ１０１は、ハードディスク装置１０２に記録されたコンテンツについて、例えばユーザの権限の強さと比例してコピー回数とムーブ権限を割り当てるものとする。この場合、以下のようにして、各ユーザのコピー回数を計算して求めることができる。
【００４９】
ユーザＡ：（１０／（４＋３＋２＋１））×４＝４（コピー３回、ムーブ可）  
ユーザＢ：（１０／（４＋３＋２＋１））×３＝３（コピー３回、ムーブ不可）  
ユーザＣ：（１０／（４＋３＋２＋１））×２＝２（コピー２回、ムーブ不可）  
ユーザＤ：（１０／（４＋３＋２＋１））×１＝１（コピー１回、ムーブ不可）  
なお、最も強いユーザ権限を有するユーザＡに関しては、コピー回数４回と計算されるが、その内１回分をムーブ操作とすることで、コピー３回、ムーブ可と解釈する。コピー制御情報には、ムーブ権限（ムーブ可）が与えられたユーザ（アカウント、パスワード）を示す情報が記録される。
【００５０】
（２）「各ユーザのコンテンツ嗜好性」を考慮する方法について。
【００５１】
図９は、各ユーザのコンテンツ嗜好性を考慮した場合のコピー回数／ムーブ権限を割り振る概念を示す図である。  
図９示すように、ハードディスク装置１０２に記録されたコンテンツ（１世代目まで９回コピー、１回ムーブ可能）に対して、ユーザＡ，Ｂ，Ｃ，Ｄの４人にコピー回数とムーブ権限を割り振る。対象コンテンツに関する各ユーザの嗜好性の強さは、例えば（ユーザＢ）＞（ユーザＡ）＞（ユーザＤ）＞（ユーザＣ）とする。
【００５２】
統合化コアチップ１０１は、ハードディスク装置１０２に記録されたコンテンツについて、例えばユーザのコンテンツに対する嗜好性の強さと比例してコピー回数とムーブ権限を割り当てるものとする。この場合、以下のようにして、各ユーザのコピー回数を計算して求めることができる。
【００５３】
ユーザＡ：（１０／（４＋３＋２＋１））×３＝３（コピー３回、ムーブ不可）  
ユーザＢ：（１０／（４＋３＋２＋１））×４＝４（コピー３回、ムーブ可）  
ユーザＣ：（１０／（４＋３＋２＋１））×１＝１（コピー１回、ムーブ不可）  
ユーザＤ：（１０／（４＋３＋２＋１））×２＝２（コピー２回、ムーブ不可）  
最も強い嗜好性を有するユーザＢに関しては、コピー回数４回と計算されるが、そのうちの１回をムーブ操作とすることで、コピー３回、ムーブ可と解釈する。コピー制御情報には、ムーブ権限（ムーブ可）が与えられたユーザ（アカウント、パスワード）を示す情報が記録される。
【００５４】
なお、各ユーザのコンテンツに対する嗜好性は、次のような方法で抽出することができる。  
例えば、コンテンツ記録装置１０は、自装置を共用する複数のユーザについて、それぞれのユーザ情報を登録することができるものとする。統合化コアチップ１０１は、ユーザ情報として、ユーザのコンテンツに対する嗜好性を入力する場合、図１０に示すような、コンテンツに対する嗜好性を指定するための設定画面を表示させる。図１０に示す例では、コンテンツのジャンルを示す「映画」「スポーツ」「ドラマ」「ニュース」「音楽」の項目と、それぞれのジャンルに対する重要度（１〜５）を設定する設定エリアが設けられている。ユーザは、リモコンなどを操作することによって各ジャンルに対する重要度を指定する。統合化コアチップ１０１は、設定画面を通じて入力された情報を、コピー制御情報に設定されたユーザ（アカウント、パスワード）と関連付けてユーザ情報として記録しておく。
【００５５】
統合化コアチップ１０１は、ハードディスク装置１０２にコンテンツデータ１０２ｂを記録する際に、コンテンツデータに付随するコンテンツに関する情報からジャンルを判別する。そして、統合化コアチップ１０１は、判別されたコンテンツのジャンルについて、複数のユーザがそれぞれ登録した重要度を参考にして、コンテンツに対するユーザの嗜好性の強さの順位を決定する。統合化コアチップ１０１は、各ユーザのコンテンツに対する嗜好性の強さの順位に応じて、前述したようにコピー回数とムーブ権限を割り振る。
【００５６】
なお、前述したように、コンテンツのジャンルに対する重要度をユーザ情報として登録させるだけでなく、各ユーザが視聴した番組に関する番組視聴情報や、録画した番組（コンテンツ）に関する録画番組情報を収集し、随時、それを各ジャンルに対する嗜好性へとフィードバックすることでさらに詳細な嗜好性を抽出することもできる。
【００５７】
次に、複数のユーザの個々についてコピー回数とムーブ権限を管理する場合のコンテンツ記録装置１０によるコンテンツのコピー動作について、図１１に示すフローチャートを参照しながら説明する。  
ここでは、コンテンツ記録装置１０のシステム起動時に、ユーザがアカウントとパスワードを入力してログインするものとする。例えば、コンテンツ記録装置１０がパーソナルコンピュータにより実現される場合には、システム起動時にアカウントとパスワードによりログインされる。
【００５８】
コンテンツ記録装置１０は、システム起動後にコンテンツのコピーが要求されると、ハードディスク装置１０２に記録された複数のコンテンツ（コンテンツデータ１０２ｂ）から、ユーザ操作によってコピー対象を選択させる（ステップＣ１）。
【００５９】
コピー対象とするコンテンツデータ１０２ｂが選択されると、統合化コアチップ１０１は、ユーザにパスワードを入力させて、パスワード認証を実行する（ステップＣ２）。
【００６０】
統合化コアチップ１０１は、コピー制御情報を参照して、入力されたパスワードが現在コピー対象として選択されているコンテンツに対して設定された、何れかのユーザのパスワードと一致するかをチェックする。ここで、入力されたパスワードが正当なパスワードではないと判定された場合には（ステップＣ３、Ｎｏ）、統合化コアチップ１０１は、コンテンツデータ１０２ｂに対するコピーを拒否して処理を終了する。
【００６１】
一方、入力されたパスワードが何れかのユーザのパスワードと一致して、正当なパスワードであることが判定された場合には（ステップＣ３、Ｙｅｓ）、コンテンツ記録装置１０は、パスワードが一致したユーザに対して振り分けられた残りコピー回数をチェックする。
【００６２】
ここで、残りコピー回数が０であった場合には（ステップＣ４、Ｎｏ）、統合化コアチップ１０１は、コンテンツデータ１０２ｂに対するコピーを拒否して処理を終了する。
【００６３】
ここで、残りコピー回数が０でない場合には（ステップＣ４、Ｙｅｓ）、統合化コアチップ１０１は、選択されたコンテンツを、コピー先の記録媒体、例えばメディア記録／再生ユニット１１０（記録媒体１１１）、あるいは通信インタフェース１１２を介して接続された他のコンテンツ記録装置に対して送信して、他の記録媒体（第２の記録媒体）へのコピーを実行する（ステップＣ５）。
【００６４】
統合化コアチップ１０１は、コンテンツデータの他の記録媒体へのコピーが完了すると、コピー制御情報に設定されたコピーを実行したコンテンツに対する、パスワード認証されたユーザに対して振り分けられている残りコピー回数を１減算する（ステップＣ６）。
【００６５】
このように、複数のユーザのそれぞれに対して振り分けられた残りコピー回数をユーザ別に管理しているので、各ユーザについて振り分けられた分のコピー回数を確保することができる。
【００６６】
なお、図１１に示すフローチャートでは、コンテンツをコピーする場合には、その都度、パスワードの入力を必要としているが、図４のフローチャートで説明したように、コンテンツのコピー回数が予め設定された規定回数を超えた場合に、パスワードの入力を要求するようにしても良い。
【００６７】
例えば、３人のユーザＡ，Ｂ，Ｃによってコンテンツ記録装置１０が共用される場合に、コンテンツのコピー可能回数を１０回とし、ユーザＡ，Ｂ，Ｃのそれぞれに割り当てられたコピー回数を３，２，１回とする。この場合、コピー回数が４回以内（１０−（３＋２＋１））の場合には、パスワードの入力を必要としないでコンテンツのコピーを実行する。コピー回数が５回以上となった場合、前述のようにしてパスワードの入力を要求して、各ユーザに振り分けられた回数の範囲内でコピーが実行されるようにする。
【００６８】
次に、複数のユーザの個々についてコピー回数とムーブ権限を管理する場合のコンテンツ記録装置１０によるコンテンツのムーブ動作について、図１２に示すフローチャートを参照しながら説明する。  
ムーブ動作をする場合も前述と同様にして、システム起動時にアカウントとパスワードによりログインされているものとする。
【００６９】
まず、ハードディスク装置１０２に記録された複数のコンテンツ（コンテンツデータ１０２ｂ）から、ユーザの操作によってムーブ対象とするコンテンツが選択される（ステップＢ１）。
【００７０】
統合化コアチップ１０１は、ムーブ対象とするコンテンツデータ１０２ｂが選択されると、ユーザにパスワードを入力させて、パスワード認証を実行する（ステップＢ２）。
【００７１】
統合化コアチップ１０１は、コピー制御情報を参照して、入力されたパスワードが現在コピー対象として選択されているコンテンツに対して設定された、何れかのユーザのパスワードと一致するかをチェックする。ここで、入力されたパスワードが正当なパスワードではないと判定された場合には（ステップＤ３、Ｎｏ）、統合化コアチップ１０１は、コンテンツデータ１０２ｂに対するムーブを拒否して処理を終了する。
【００７２】
一方、入力されたパスワードが何れかのユーザのパスワードと一致して、正当なパスワードであることが判定された場合には（ステップＤ３、Ｙｅｓ）、コンテンツ記録装置１０は、パスワードが一致したユーザにムーブ権限が与えられているかをコピー制御情報をもとに判別する。
【００７３】
ここで、ムーブ権限が与えられていることが確認された場合、コンテンツ記録装置１０は、選択されたコンテンツを、ムーブ先の記録媒体に送ってムーブを実行する（ステップＤ４）。すなわち、コンテンツデータ１０２ｂを、例えばメディア記録／再生ユニット１１０（記録媒体１１１）、あるいは通信インタフェース１１２を介して接続された他のコンテンツ記録装置に対して送信して、他の記録媒体（第２の記録媒体）へ記録させると共にハードディスク装置１０２から削除する。
【００７４】
一方、ムーブ権限が与えられていない場合には、統合化コアチップ１０１は、コンテンツデータ１０２ｂに対するムーブを拒否して処理を終了する。
【００７５】
このように、コンテンツデータ１０２ｂをムーブする際には、同データに対して録画設定ユーザによって登録されたパスワードの入力を求め、さらにムーブ権限が与えられているかを確認することで、複数のユーザがコンテンツを共有する場合であっても、ムーブ権限が与えられたユーザ以外の他のユーザがコンテンツデータ１０２ｂを勝手にムーブできないようにすることができる。
【００７６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【００７７】
また、前述した実施の形態において記載した処理は、コンピュータに実行させることのできるＣＡＤプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。コンピュータは、記録媒体に記録されたＣＡＤプログラムを読み込み、または通信媒体を介してＣＡＤプログラムを受信し、このプログラムによって動作が制御されることにより、上述した処理を実行する。
【図面の簡単な説明】
【００７８】
【図１】本発明の一実施形態に係るコンテンツ記録装置１０の構成を示すブロック図。
【図２】コンテンツの録画設定したユーザのみを管理して、コピー回数とムーブ権限を管理する方法の概要について示す図。
【図３】コピー制御情報管理部１０８において管理されるコピー制御情報の一例を示す図。
【図４】コンテンツ記録装置１０によるコンテンツのコピー動作について示すフローチャート。
【図５】コンテンツ記録装置１０によるコンテンツのムーブ動作について示すフローチャート。
【図６】複数のユーザの個々についてコピー回数とムーブ権限を管理する方法の概要について示す図。
【図７】コピー制御情報管理部１０８において管理されるコピー制御情報の一例を示す図。
【図８】各ユーザの権限の強さを考慮してコピー回数／ムーブ権限を割り振る概念を示す図。
【図９】各ユーザのコンテンツ嗜好性を考慮した場合のコピー回数／ムーブ権限を割り振る概念を示す図。
【図１０】コンテンツに対する嗜好性を指定するための設定画面の一例を示す図。
【図１１】複数のユーザの個々についてコピー回数とムーブ権限を管理する場合のコンテンツ記録装置１０によるコンテンツのコピー動作について示すフローチャート。
【図１２】複数のユーザの個々についてコピー回数とムーブ権限を管理する場合のコンテンツ記録装置１０によるコンテンツのムーブ動作について示すフローチャート。
【符号の説明】
【００７９】
１０…コンテンツ記録装置、１０１…コアチップセット、１０２…ハードディスク装置、１０３…ＴＶチューナー、１０４…録画エンジン、１０５…映像描画エンジン、１０６…ビデオエンコーダ／デコーダ、１０７…コンテンツ暗号／復号チップ、１０８…コピー制御情報管理部、１０９…アンテナ、１１０…メディア記録／再生ユニット、１１２…通信インタフェース１１２。
【図１】
2009267640.tif 000003
【図２】
2009267640.tif 000004
【図３】
2009267640.tif 000005
【図４】
2009267640.tif 000006
【図５】
2009267640.tif 000007
【図６】
2009267640.tif 000008
【図７】
2009267640.tif 000009
【図８】
2009267640.tif 000010
【図９】
2009267640.tif 000011
【図１０】
2009267640.tif 000012
【図１１】
2009267640.tif 000013
【図１２】
2009267640.tif 000014